(57)【特許請求の範囲】
【請求項１】
外靴（１０）と、内靴（２０）とを含む型式のスポーツ靴、とりわけスノーサーフィン用靴のための取外し可能な補強要素（３０）であって、前記外靴（１０）は外側底部（１２）と外側胴部（１１）とを含み、前記内靴（２０）は足部と脚部とを覆う外被を含み、
前記補強要素（３０）は踵革を形成する低部分（４０）と該低部分から上方へ向けて垂直方向に延在する高部分（５０）とを含み、前記低部分（４０）は、底部（４２）と該底部を介して連結される２の側壁部（４１）とを含むとともに、足甲部の箇所に緊締応力を及ぼす緊締手段（４４）を備えて成り、前記高部分（５０）は、背壁部（５２）と該背壁部により後方で連結される２の側壁部（５１）とを含んで、脚下部を取り囲むように形成されて成ることを特徴とするスポーツ靴用の取外し可能な補強要素。
【請求項２】
前記側壁部（５１）の各々が、その前縁部上に、前記内靴（２０）または外靴（１１０）に対する連結手段（５５、１５５）を備えることを特徴とする請求項１による補強要素。
【請求項３】
前記内靴（２０）または外靴（１１０）が紐締め式緊締手段（２５、２６、１１４）を備えること、および前記連結手段（５５、１５５）が、前記内靴（２０）または外靴（１１０）の紐部材（２６、１１４）を受入れることのできる留め輪（５５、１５５）により構成されることを特徴とする請求項２による補強要素。
【請求項４】
前記連結手段（５５、５６）が留め輪（５５）と紐部材（５６）とから成る装置によって構成されることを特徴とする請求項２による補強要素。
【請求項５】
前記紐部材（２６、５６）が固定具（２７、５７）を有することを特徴とする請求項３または４による補強要素。
【請求項６】
前記補強要素（３０）が、横断方向あるいは長手方向の少なくとも一方において、前記内靴（２０）の剛性よりも高い剛性を有することを特徴とする請求項１ないし５のいずれか１による補強要素。
【請求項７】
前記補強要素（３０）が、所望の演技形態に応じて変化可能な剛性を有することを特徴とする請求項６による補強要素。
【請求項８】
前記補強要素（３０）が、外靴（１０）と内靴（２０）の間に挿入されることを特徴とする請求項１ないし７のいずれか１による補強要素。
【請求項９】
前記補強要素（１３０）が、外靴（１１０）の外側に配設されることを特徴とする請求項１ないし７のいずれか１による補強要素。
【請求項１０】
請求項１ないし９のいずれか１による補強要素（３０、１３０）を内蔵した靴。
【発明の詳細な説明】
【０００１】
本発明は、スポーツ靴、特にスノーサーフィンのような滑走スポーツに用いる靴のための補強要素を対象とする。
【０００２】
この種のスポーツ、とりわけスノーサーフィン（すなわち、スノーボード）において、利用者の足部や脚部を滑走用具に確実に連結する靴は、或る一定の方向における快適性と撓曲性とを得るために柔軟性を必要とするだけでなく、上記一方向における脚部の撓曲を制限するため他方向において剛直性の必要を両立させると共に、使用者の踝部と脚下部との十分な保持を確保しなければならない。
【０００３】
スノーサーフィンに関して、支持機能や撓曲制限機能は、通常靴を多少なりとも被覆するシェル形状の硬質要素からなる靴の固定装置とサーフボードとによって確保される。
【０００４】
したがって、この種の固定具は、靴を非常に柔軟に維持することができる。
【０００５】
他方、これらの靴は、通常、外側底部と外側胴部を含む靴（すなわち、外側ブーツ）と内靴（すなわち、足部と脚下部を完全に被覆するとともに、必要な快適さを得るための極めて柔軟な外被）とから成る。
【０００６】
この内靴（インナーブーツ）は、とりわけ靴と締め具の緊締に際して、それらを構成する材料の柔軟性および該内靴に繰返し掛かる応力のため、使用中にずれ落ちるという欠点がある。この欠点を排除するために種々の解決法が提案された。
【０００７】
たとえば、踵区域を剛直にし、かつ内靴上部に対して緊締を生じさせることにより、内靴のずれ落ちを避ける目的で、サーフィン靴の内靴と外側胴部との間に挿入するための足甲部緊締用帯状部材に連設させたプラスチック製の踵部補強材が「ダキーヌ（ＤＡＫＩＮＥ）」と言う商標名で市販されている。
【０００８】
この種の補強材は、踵部の箇所で内靴のずれ落ちという局部的な問題を確かに解決可能にするが、上述した他の問題を解決してはいない。
【０００９】
国際出願第９７／４５０３３号は、ほぼＬ字形の外形を有し、かつ、足の裏と脚下部の後部で連続的に伸びるよう靴内に挿入するスキー靴またはスノーサーフィン靴のための補強装置を備えている。
【００１０】
この種の装置は確かに靴の前部から後部までの剛性を増加できるようにするが、上記の他の問題を解決してはいない。
【００１１】
とりわけ同装置では、横断方向での保持が全く不可能で、内靴のずれ落ちの問題も依然解決していない。とりわけスノーボードにおいて遭遇する、他の滑走スポーツにおいても見出すことができる別の問題は、実施されるハーフパイプ、フリーライド、フリースタイルなどの練習によっては、使用者が、方向と強さに関連して同時に、異なる剛性を靴に要望することである。
【００１２】
本発明の目的は、これら諸欠点を排除するとともに、とりわけ内靴のずれ落ちの問題を解決可能にし、および／または、最適な方向に改善される剛性や曲げ強さを提供可能にする、改良型補強要素を提供することにある。
【００１３】
本発明の別の一目的は、滑走用スポーツ靴、（とりわけ、スノーボード用の靴）を種々異なる実施形態に容易に適応できるようにすることでもある。
【００１４】
この目的は、外側靴と内靴（インナーブーツ）とを含む型式の本発明による補強要素によって達成され、外側靴は外側底と外側胴部とを含み、内靴は足部と脚部とを覆う装着用外被を含み、補強材は、踵革を形成するとともに胴部のずれ落ちを回避し、かつ踵部を所定の位置に維持するための緊締用帯状部材を備える低部分を含み、該低部分から上方へ向けて延在する高部分をも含み、かつ脚下部を囲繞する背壁部と２の側壁部を含むことを特徴とする。
【００１５】
実際、この種の補強要素は使用者の脚下部の側方維持に関与するとともに、とりわけ踵区域で内靴のずれ落ちを回避する。
【００１６】
好ましい一実施態様によれば、側壁部の各々は、その前縁部に内靴との連結手段を備える。この種の構造は、確かに、得られる補強要素と内靴の一体連結により、前方と後方のどちらに向かうにしても、長手方向に内靴と靴の組立体の剛性を増加可能にする。
【００１７】
いずれにしても本発明は、いくつかの実施態様を非限定的な例として示す添付の図面を参照して以下の記載を読むことにより、より良く理解されるとともに、本発明のその他の特徴も明らかとなろう。
【００１８】
図１は、本発明による補強要素を内蔵する靴を示す。この靴は、ブーツ型の外靴１０と内靴（インナーブーツ）２０と補強要素３０とから成る。
【００１９】
外靴１０は外側胴部１１と外側底部１２とから成る。外側胴部１１は、踝（くるぶし）の上を上昇して、使用者の脚部を取り囲む長胴部である。この靴胴部は、足の挿入や取出を可能にするための長手方向開口部１３を前部に有し、かつ靴紐（１４）のような閉鎖手段を備える。
【００２０】
外側胴部１１は、皮革や分厚い織物のような柔軟ではあるが、耐磨耗性と或る程度の機械的堅牢性を有する材料から成るのが好ましい。
【００２１】
とりわけ図２と図３で示すように、内靴２０は、足を覆う低部分２１と脚下部を覆う高部分２２とを含み、これら２の部分は連続的に接続される。内靴２０は更に足を挿入するための長手方向開口部２３を前部に含み、この長手方向開口部２３には、その縁部の両側に固定した一連の留め環２５から成るとともに靴紐２６を受け入れる、紐式緊締装置２４が連設される。
【００２２】
強制的ではないが好ましい一実施態様によれば、靴紐固定具２７は靴紐２６の端部に連設される。
【００２３】
もちろん、本発明の範囲を逸脱することなく、固定具２７を有しない従来の紐締めも他の緊締手段（例えば自己密着式の手段）と同様に考慮し得る。
【００２４】
内靴２０は、所望の柔軟性と快適性を提供する材料、とりわけポリウレタン、ポリエチレン等の材料で製作される。
【００２５】
補強要素３０は、踵革を形成する低部分４０と高部分５０とを含む。
【００２６】
低部分４０は、内靴２０の足部２１の下に配置するための底部分４２を介して連結される２の側壁部４１と、踵の上部を取り囲んで後方で該２の側壁部４１を連結する後方帯状部４３とを含む。
【００２７】
各側壁部４１は、足底区域から足甲部区域まで、使用者の足部に沿って垂直方向に延在する。
【００２８】
２の側壁部４１は、その上縁部４５の箇所に、係留手段（この場合には自己密着型帯状システム４４）を備える。この係留手段は使用者の足甲部区域に延在して、該側壁部の縁部４５を相対的に接近させることにより足の周囲の緊締を可能にする。
【００２９】
踵部自体に対応する低部分の区域４０が快適さを一層増すためのくり抜き部４６を含むことを指摘しておこう。
【００３０】
踵革の高部分５０は、使用者の脚下部を取り囲むとともに支持するように、後方帯状部４３とくり抜き部４６とから垂直に延在する２の側壁部５１を含む。該２の側壁部５１は、後方で、背壁部５２により連結される。
【００３１】
側壁部５１の各々は、この場合には内靴２０の紐２６を通す手段（すなわち、留め環５５）から成る、内靴２０への連結手段をその前縁部に含む。
【００３２】
したがって、これら留め環５５は、内靴の靴紐２６と緊締状態で共働することができ、この靴紐は、内靴の留め環２５と補強要素３０の留め環５５上を交互に通過する。
【００３３】
このようにして、補強材３０の高部分５０は、踝部と脚下部の側方維持（すなわち、横断方向維持）に関与するだけでなく、内靴の緊締に関与することによって、前方と同様に後方へ向かう脚部の屈曲に対する抵抗をも提供する。
【００３４】
したがって、高部分５０はまた、靴の前方／後方撓曲に際しての剛性を変更できるようにするとともに、後方支承をも提供できるようにする。
【００３５】
実際、補強要素３０がないと、靴は非常に柔軟に成るが、この補強要素を付加すると、横断方向と同様に長手方向にも靴を剛直にすることが可能となる。
【００３６】
実施するサーフィンの方式に応じて、靴の剛性を実施形式に適応させるために、長手方向と同様横断方向にもいろいろな剛性を有する各種補強要素３０を設けてもよい。どの場合にも、補強要素３０の剛性は、少なくとも長手方向あるいは横断方向において、内靴２０の剛性よりも高くなろう。
【００３７】
徐々に後方への支承を付与するために、背壁部５２がその上部分５３に垂直な側方スリット５４を備えるのが好ましいことをも指摘しておこう。
【００３８】
図４と図５は、図１から図３までと同型のサーフィン靴に対して本発明の補強材を適用した例を示し、類似または同等の要素には同一の参照番号を付したが、唯一の相違点は、内靴２０が側方開口部を有する射出成形型のもので、紐手段を備えていないことにある。
【００３９】
この場合、補強要素３０は、留め環５５の他に靴紐５６を含み、この紐には紐固定具５７が連設される。この配置構成により、内靴に緊締手段がない場合でも、補強要素３０を内靴２０に対して緊締すること、および前述した前方と後方での剛直化機能ならびに後方支承機能を保持することが可能となる。
【００４０】
上述した２の実施態様において、紐締め装置は、それぞれ靴紐２６、５６をそれぞれ靴紐固定具２７、５７とで迅速に紐締めする装置である。この場合、弛緩による補強要素３０と内靴との相互分離は、固定具２７、５７それぞれ固定解除するとともに、靴紐２６、５６それぞれに沿って上昇させることにより、極めて容易かつ迅速に得られる。これにより、靴の高部分を著しく柔軟にすることができ、かつ歩行をより快適で容易にするために靴の前方／後方への撓曲性を回復できるようになる。
【００４１】
もちろん、本発明の範囲を逸脱することなく他の緊締手段を設けてもよいだろう。とりわけ、普通の靴紐による緊締、すなわち、靴紐固定具なしでの緊締、あるいは、例えば自己密着式手段、ケーブル、等他の緊締手段を考慮することが可能である。
【００４２】
図６に示す有利な新たな実施態様では、類似または同等の要素には、１００を加えた同一の参照番号を付し、補強材１３０は外側靴１１０の外部（すなわち、該靴と締め具装置１００との間）に配設することが可能である。この場合、補強材１３０は、靴の緊締に関与するために外側靴１１０の紐締め手段１１４と共働するのに適する留め環１５５を含んでもよい。
【００４３】
もちろん、本発明は、非限定的な例として上に記載した実施態様に限定されるものではなく、類似または同等の実施態様をすべて包含する。とりわけ、本発明はスノーボード用の靴への応用に限定されるだけではなく、いろいろな問題を解決すること、とりわけ、求める実施の形態に応じて長手方向および／または横断方向に靴胴部の剛性を容易に変化させることが求められる、あらゆる型式のスポーツ靴、例えばスキー用、ローラースケート用、アイススケート用等の滑走スポーツ靴に及ぶ。
【図面の簡単な説明】
【図１】内靴と補強要素を内蔵する靴を示す、一部分を劈開した斜視図である。
【図２】組立前の内靴と補強要素とを示す分解斜視図である。
【図３】組立後の内靴と補強要素とを示す図２に関連した斜視図である。
【図４】別の型式の内靴を備える本発明の実施態様を示す、図２に類似の分解斜視図である。
【図５】図４の内靴と補強要素の組立体を示す、図３に類似の斜視図である。
【図６】本発明の別の実施例を示す図１に類似の側面図である。
【符号の説明】
１０                  靴
１１、１１０          外側胴部（アッパー）
１２                  靴底
２０                  内靴（インナーブーツ）
２５、５５、１５５    留め輪
２６、５６            靴紐
２７、５７            紐固定具
３０、１３０          補強要素
４０                  低部分
４４                  緊締装置
５０                  高部分
５１                  側壁部
５２                  背壁部
【図１】
0004282859.tif 000002
【図２】
0004282859.tif 000003
【図３】
0004282859.tif 000004
【図４】
0004282859.tif 000005
【図５】
0004282859.tif 000006
【図６】
0004282859.tif 000007